(57)【要約】【課題】ロック状態のし忘れを防止出来、アンロック状態での安全が確保できる係止機構を実現する。【解決手段】開閉動作対象物の側面の上端に沿って設けられた固定ブロックと、側板に開閉動作対象物の上端に直交して直交方向に摺動自由に設けられた移動ブロックと、側板に取付けられ移動ブロックを直交方向に摺動自由にガイドするガイド手段と、固定ブロックの他端と移動ブロックの一端とに設けられ固定ブロックと移動ブロックとを係止する係止手段と、側板に設けられ移動ブロックを開閉動作対象物の上端方向に押圧する押圧手段と、移動ブロックの一端側に設けられ開閉動作対象物の収納時に固定ブロックの一端側が移動ブロックの一端側を押圧して移動ブロックを開閉動作対象物の下端方向に移動し固定ブロックと移動ブロックとを係止する収納移動手段とを具備したことを特徴とする係止機構である。【選択図】図１
2012031572.tif 000002
【特許請求の範囲】
【請求項１】
下端側がヒンジにより側板に支持された開閉動作対象物の上端側を前記側板に係止する係止機構において、
前記開閉動作対象物の側面の上端に沿って設けられ一端側が前記開閉動作対象物の裏面とのコーナーに設けられた固定ブロックと、
前記側板に前記開閉動作対象物の上端に直交して直交方向に摺動自由に設けられ一端が前記固定ブロックの他端に対向して設けられた移動ブロックと、
前記側板に取付けられ前記移動ブロックを前記直交方向に摺動自由にガイドするガイド手段と、
前記固定ブロックの他端と前記移動ブロックの一端とに設けられ前記固定ブロックの他端と前記移動ブロックの一端とを係止する係止手段と、
前記側板に設けられ前記移動ブロックを前記開閉動作対象物の上端方向に押圧する押圧手段と、
前記移動ブロックの一端側の前記開閉動作対象物の前面側に設けられ前記開閉動作対象物の収納時に前記固定ブロックの一端側が前記移動ブロックの一端側を押圧して前記移動ブロックを前記開閉動作対象物の上端面方向と反対方向に移動し前記固定ブロックの他端と前記移動ブロックの一端とを係止する収納移動手段と、
を具備したことを特徴とする係止機構。
【請求項２】
前記ガイド手段は、前記移動ブロックに設けられたガイド溝と、
一端が前記側板に設けられ他端側が前記ガイド溝をガイドするガイド棒と、
を具備したことを特徴とする請求項１記載の係止機構。
【請求項３】
前記ガイド手段は、前記移動ブロックの途中を覆って前記側板に設けられ前記側板と共に前記移動ブロックが摺動する摺動筒を構成する板状の摺動覆い
を具備したことを特徴とする請求項１記載の係止機構。
【請求項４】
前記係止手段は、前記固定ブロックの他端あるいは前記移動ブロックの一端の一方に設けられた溝部と、
他方に設けられ前記溝部に係止される凸部と、
を具備したことを特徴とする請求項１乃至請求項３の何れかに記載の係止機構。
【請求項５】
前記押圧手段は、前記側板に設けられたスプリングブロックと、
このスプリングブロックと前記移動ブロックの他端との間に設けられ前記移動ブロックの他端を押圧するスプリングと、
を具備したことを特徴とする請求項１乃至請求項４の何れかに記載の係止機構。
【請求項６】
前記収納移動手段は、前記移動ブロックの一端側の前記開閉動作対象物の前面側に設けられた斜面部
を具備したことを特徴とする請求項１乃至請求項５の何れかに記載の係止機構。
【発明の詳細な説明】
【技術分野】
【０００１】
本発明は、係止機構に関するものである。
更に、詳述すれば、ロック状態のし忘れを防止出来、アンロック状態での安全が確保できる係止機構に関するものである。
【背景技術】
【０００２】
図１８は従来より一般に使用されている従来例の要部構成説明図で、（ａ）は正面図、（ｂ）は上面図、（ｃ）は左側面図、（ｄ）は右側面図、図１９は図１８の係止機構のロック状態説明図で、（ａ）は正面図、（ｂ）は（ａ）のＡ−Ａ断面図、図２０は図１８の係止機構のアンロック状態説明図で、（ａ）は正面図、（ｂ）は（ａ）Ｂ−Ｂ断面図である。
【０００３】
図において、開閉動作対象物１は垂直に配置され、左側板２と右側板３とにより支えられ、開閉動作対象物１の閉時には、左側板２と右側板３とに設けられた突き当て部４，５に開閉動作対象物１は、突き当てられている。
開閉動作対象物１の下端１１側はヒンジ機構６により支持され、Ｚ方向に回転する。
開閉動作対象物１の上端１２側には、係止機構７が設けられている。
【０００４】
係止機構７は、図１９に示す如く、開閉動作対象物１のロック状態では、先端突起８が突出して、左側板２に設けられた角穴９に挿入されて、開閉動作対象物１はロック状態となる。
係止機構７は、図２０に示す如く、開閉動作対象物１のアンロック状態では、先端突起８が図の右方向にスライドし、左側板２に設けられた角穴９から外れて、開閉動作対象物１はアンロック状態となる。
【０００５】
以上の構成において、開閉動作対象物１はＺ回転方向への回転動作が可能な構造にて、開時方向動作を動作しない様にする為に、係止機構７が設けられている。
上記係止機構７は、先端突起８が左側板２に設けられた角穴９に入り込む事により、開時方向動作Ｚを動作しないことを実現している。
【先行技術文献】
【特許文献】
【０００６】
【特許文献１】特開２００１−１５９２６８号公報
【特許文献２】特開２００２−１３０９２４号公報
【発明の概要】
【発明が解決しようとする課題】
【０００７】
このような装置においては、以下の問題点がある。
開閉動作対象物の閉時に係止機構をロック状態にする事を忘れると、開閉動作対象物がＺ方向に回転し、怪我や部品破損の恐れがある。
また、係止機構をアンロック状態にすると、開閉動作対象物がＺ方向に回転し、怪我や部品破損の恐れがある。
【０００８】
本発明の目的は、上記の課題を解決するもので、ロック状態のし忘れを防止出来、アンロック状態での安全が確保できる係止機構を提供することにある。
【課題を解決するための手段】
【０００９】
このような課題を達成するために、本発明では、請求項１の係止機構においては、
下端側がヒンジにより側板に支持された開閉動作対象物の上端側を前記側板に係止する係止機構において、前記開閉動作対象物の側面の上端に沿って設けられ一端側が前記開閉動作対象物の裏面とのコーナーに設けられた固定ブロックと、前記側板に前記開閉動作対象物の上端に直交して直交方向に摺動自由に設けられ一端が前記固定ブロックの他端に対向して設けられた移動ブロックと、前記側板に取付けられ前記移動ブロックを前記直交方向に摺動自由にガイドするガイド手段と、前記固定ブロックの他端と前記移動ブロックの一端とに設けられ前記固定ブロックの他端と前記移動ブロックの一端とを係止する係止手段と、前記側板に設けられ前記移動ブロックを前記開閉動作対象物の上端方向に押圧する押圧手段と、前記移動ブロックの一端側の前記開閉動作対象物の前面側に設けられ前記開閉動作対象物の収納時に前記固定ブロックの一端側が前記移動ブロックの一端側を押圧して前記移動ブロックを前記開閉動作対象物の上端面方向と反対方向に移動し前記固定ブロックの他端と前記移動ブロックの一端とを係止する収納移動手段と、を具備したことを特徴とする。
【００１０】
本発明の請求項２の係止機構においては、請求項１記載の係止機構において、
前記ガイド手段は、前記移動ブロックに設けられたガイド溝と、一端が前記側板に設けられ他端側が前記ガイド溝をガイドするガイド棒と、を具備したことを特徴とする。
【００１１】
本発明の請求項３の係止機構においては、請求項１記載の係止機構において、
前記ガイド手段は、前記移動ブロックの途中を覆って前記側板に設けられ前記側板と共に前記移動ブロックが摺動する摺動筒を構成する板状の摺動覆いを具備したことを特徴とする。
【００１２】
本発明の請求項４の係止機構においては、請求項１乃至請求項３の何れかに記載の係止機構において、
前記係止手段は、前記固定ブロックの他端あるいは前記移動ブロックの一端の一方に設けられた溝部と、他方に設けられ前記溝部に係止される凸部と、を具備したことを特徴とする。
【００１３】
本発明の請求項５の係止機構においては、請求項１乃至請求項４の何れかに記載の係止機構において、
前記押圧手段は、前記側板に設けられたスプリングブロックと、このスプリングブロックと前記移動ブロックの他端との間に設けられ前記移動ブロックの他端を押圧するスプリングと、を具備したことを特徴とする。
【００１４】
本発明の請求項６の係止機構においては、請求項１乃至請求項５の何れかに記載の係止機構において、
前記収納移動手段は、前記移動ブロックの一端側の前記開閉動作対象物の前面側に設けられた斜面部を具備したことを特徴とする。
【発明の効果】
【００１５】
本発明の請求項１によれば、次のような効果がある。
開閉動作対象物の閉時に、自動ロックできるようにして、ロック状態のし忘れを防止出来、開閉動作対象物の開時に、開閉動作対象物に片側の手を添え押さないと、アンロック状態に出来ないようにして安全が確保できる係止機構が得られる。
【００１６】
本発明の請求項２によれば、次のような効果がある。
ガイド手段は、移動ブロックに設けられたガイド溝と、一端が側板に設けられ他端側がガイド溝をガイドするガイド棒と、が設けられたので、構成が簡単にできる係止機構が得られる。
【００１７】
本発明の請求項３によれば、次のような効果がある。
ガイド手段は、移動ブロックの途中を覆って側板に設けられ、側板と共に移動ブロックが摺動する摺動筒を構成する板状の摺動覆いが設けられたので、摺動動作が確実に出来る係止機構が得られる。
【００１８】
本発明の請求項４によれば、次のような効果がある。
係止手段は、固定ブロックの他端あるいは移動ブロックの一端の一方に設けられた溝部と、他方に設けられ溝部に係止される凸部と、が設けられたので、簡潔な構成により係止が確実に出来ると共に、係止の解除も容易に出来、安価な係止機構が得られる。
【００１９】
本発明の請求項５によれば、次のような効果がある。
押圧手段は、側板に設けられたスプリングブロックと、このスプリングブロックと移動ブロックの他端との間に設けられ、移動ブロックの他端を押圧するスプリングと、が設けられたので、簡潔な構成により押圧が確実に出来、安価な係止機構が得られる。
【００２０】
本発明の請求項６によれば、次のような効果がある。
収納移動手段は、移動ブロックの一端側の開閉動作対象物の前面側に設けられた斜面部が設けられたので、簡潔な構成により容易に開閉動作対象物の収納が出来、開閉動作対象物の収納が確実に出来、安価な係止機構が得られる。
【図面の簡単な説明】
【００２１】
【図１】本発明の一実施例の要部構成説明図である。
【図２】図１の要部構成斜視説明図である。
【図３】図２の部品組立説明図である。
【図４】図２の拡大説明図である。
【図５】図４のＥ−Ｅ断面図である。
【図６】図４のＥ−Ｅ断面図である。
【図７】図１の動作説明図である。
【図８】図１の動作説明図である。
【図９】図２の部品組立説明図である。
【図１０】図２の部品組立説明図である。
【図１１】図２の部品組立説明図である。
【図１２】図２の部品組立説明図である。
【図１３】本発明の他の実施例の要部構成説明図である。
【図１４】図１３の部品組立説明図である。
【図１５】図１３の拡大説明図である。
【図１６】図１５のａ−ａ断面図である。
【図１７】図１５のｂ−ｂ断面図である。
【図１８】従来より一般に使用されている従来例の要部構成説明図である。
【図１９】図１８の係止機構のロック状態説明図である。
【図２０】図１８の係止機構のアンロック状態説明図である。
【発明を実施するための形態】
【００２２】
以下本発明を図面を用いて詳細に説明する。
図１は本発明の一実施例の全体構成説明図で、（ａ）は正面図、（ｂ）は上面図、（ｃ）は左側面図、図２は図１の要部構成斜視説明図、図３は図２の部品組立説明図、図４は図２の拡大説明図、図５は図４のＥ−Ｅ断面図、図６は図４のＥ−Ｅ断面図、図７から図１２は図１の動作説明図である。
図において、図１８と同一記号の構成は同一機能を表す。
以下、図１８との相違部分のみ説明する。
【００２３】
図１において、係止機構２０は、開閉動作対象物１の上端側を、側板２に係止する。
係止機構２０は、固定ブロック２１と、移動ブロック２２と、ガイド手段２３と、係止手段２４と、押圧手段２５と、収納移動手段２６とを有する。
【００２４】
固定ブロック２１は、開閉動作対象物１の側面の上端１２に沿って設けられ、一端２１１側が、開閉動作対象物１の裏面１３とのコーナーに設けられている。
固定ブロック２１は、左側板２に固定ブロック固定ねじ２１３により固定されている。
移動ブロック２２は、左側板２に、開閉動作対象物の上端１２に直交して直交方向Ｙに摺動自由に設けられ、一端２２１が固定ブロック２１の他端２１２に対向して設けられている。
【００２５】
ガイド手段２３は、左側板２に取付けられ、移動ブロック２２を直交方向Ｙに摺動自由にガイドする。
この場合は、ガイド手段２３は、図５に示す如く、移動ブロック２２に設けられたガイド溝２３１と、一端が左側板２に設けられ、他端側がガイド溝２３１をガイドするガイド棒２３２と、を有する。
この場合は、ガイド棒２３２は、ガイド溝２３１を摺動するカラー２３２１とカラー２３２１を左側板２に固定するカラー固定ねじ２３２２とを有する。
【００２６】
係止手段２４は、固定ブロックの他端２１２と移動ブロックの一端２２１とに設けられ、固定ブロックの他端２１２と移動ブロックの一端２２１とを係止する。
この場合は、係止手段２４は、固定ブロックの他端２１２あるいは移動ブロックの一端２２１の一方に設けられた溝部２４１と、他方に設けられ、溝部２４１に係止される凸部２４２とを有する。
具体的には、固定ブロックの他端２１２に溝部２４１が設けられ、移動ブロックの一端２２１に凸部２４２が設けられている。
【００２７】
押圧手段２５は、左側板２に設けられ、移動ブロック２２を、開閉動作対象物の上端１２の方向（矢印Ｙ方向と逆方向）に押圧する。
この場合は、押圧手段２５は、左側板２に設けられたスプリングブロック２５１と、スプリングブロック２５１と移動ブロック２２の他端２２２との間に設けられ、移動ブロックの他端２２２を押圧するスプリング２５２とを有する。
スプリングブロック固定ねじ２５１１は、スプリングブロック２５１を左側板２に固定する。
【００２８】
収納移動手段２６は、移動ブロックの一端２２１の側の開閉動作対象物の前面１４の側に設けられ、開閉動作対象物１の収納時に固定ブロックの一端２１１の側が、移動ブロックの一端側２２１を押圧して、移動ブロック２２を開閉動作対象物の上端方向と反対方向（Ｙ方向）に移動し、固定ブロックの他端２１２と移動ブロックの一端２２１とを係止する。
【００２９】
収納移動手段２６は、移動ブロックの一端側２２１の開閉動作対象物の前面側１４に設けられた斜面部２６１を有する。
【００３０】
以上の構成において、図４，図５に示す如く、移動ブロック２２は、ガイド溝２３１の溝幅Ｇとカラー２３２１の外径Ｄで構成される隙間Ｒ、そして、ガイド溝２３１の厚みＪとカラー２３２１の厚みＨで構成される隙間Ｓにより、矢印Ｙ方向あるいは矢印Ｙの逆方向のみの移動が出来る。
【００３１】
図４，図６に示す如く、移動ブロック２２の座グリ加工Ｋとスプリングブロック２５１の座グリ加工Ｌにより、スプリングを挟み込む構造とし、通常状態では、スプリング２５２の力により、移動ブロック２２は矢印Ｙ方向と逆方向に押圧される構造となっている。
【００３２】
次に、図７に示す如く、開閉動作対象物１が閉時状態の場合。
移動ブロック２２は、開閉動作対象物１に設置された固定ブロック２１と干渉し、開閉動作対象物１は、Ｚ方向への回転動作を係止される。
且つ、図８に示す如く、開閉動作対象物１がＺ方向に回転する重心を有する場合に、固定ブロック２１と移動ブロック２２が噛み合い、移動ブロック２２はＹ方向に移動する事が出来ず、開閉動作対象物１は、Ｚ方向への回転動作を係止される。
【００３３】
開閉動作対象物１をＺ方向に回転させる為には。
図９に示す如く、開閉動作対象物１をＴ方向に押し、隙間Ｗを構成する事により、係止が外れて、移動ブロック２２がＹ方向に移動可能となる。
図１０に示す如く、移動ブロック２２をＹ方向に移動させた状態において、隙間Ｖを構成する事により、開閉動作対象物１がＺ方向に回転可能となる。
【００３４】
開閉動作対象物1が閉動作(矢印Ｚ方向と逆方向への回転動作)をする場合。
図１１に示す如く、開閉動作対象物１に設置された固定ブロック２１が、移動ブロック２２の斜面部２６１と衝突する。
更に、図１２に示す如く、開閉動作対象物１が閉動作(矢印Ｚ方向と逆方向への回転動作)を進めると、移動ブロック２２は、Ｙ方向への動作しか出来ない為に、スプリング２５２を圧縮しながらＹ方向へ移動し、開閉動作対象物１が閉動作(矢印Ｚ方向と逆方向への回転動作)を可能とする。
【００３５】
開閉動作対象物１が閉動作(矢印Ｚ方向と逆方向への回転動作)終点まで移動した状態は、図９の状態であり、移動ブロック２２は、Ｙ方向と逆の方向に、スプリング２５２の力で移動する。
開閉動作対象物１は、Ｚ方向への回転動作を係止された状態となる。
【００３６】
この結果、
開閉動作対象物１の閉時に、自動ロックできるようにして、ロック状態のし忘れを防止出来、開閉動作対象物の開時に、開閉動作対象物１に片側の手を添え、Ｔ方向に押さないと、アンロック状態に出来ないようにして安全が確保できる係止機構が得られる。
【００３７】
ガイド手段２３は、移動ブロック２２に設けられたガイド溝２３１と、一端が側板２に設けられ、他端側がガイド溝２３１をガイドするガイド棒２３２と、が設けられたので、構成が簡単にできる係止機構が得られる。
【００３８】
係止手段２４は、固定ブロックの他端２１２あるいは移動ブロックの一端２２１の一方に設けられた溝部２４１と、他方に設けられ溝部２４１に係止される凸部２４２と、が設けられたので、簡潔な構成により係止が確実に出来ると共に、係止の解除も容易に出来、安価な係止機構が得られる。
【００３９】
押圧手段２５は、側板２に設けられたスプリングブロック２５１と、このスプリングブロック２５１と移動ブロック２２の他端２２２との間に設けられ、移動ブロックの他端２２２を押圧するスプリング２５２と、が設けられたので、簡潔な構成により押圧が確実に出来、安価な係止機構が得られる。
【００４０】
収納移動手段２６は、移動ブロックの一端２２１の側の開閉動作対象物の前面１４の側に設けられた斜面部２６１が設けられたので、簡潔な構成により容易に開閉動作対象物１の収納が出来、開閉動作対象物１収納が確実に出来、安価な係止機構が得られる。
【００４１】
図１３は、本発明の他の実施例の要部構成説明図、図１４は図１３の部品組立説明図、図１５は図１３の拡大説明図、図１６は図１５のａ−ａ断面図、図１７は図１５のｂ−ｂ断面図である。
【００４２】
図１３において、ガイド手段３１は、移動ブロック３２の途中を覆ってブラケット設けられ、左側板２と共に、移動ブロック３２が摺動する摺動筒３３を構成する板状の摺動覆３４を有する。
具体的には、図１４に示す如く、摺動覆い３４はブラケット状をなし、ブラケット固定ねじ３５により左側板２に固定されている。
【００４３】
以上の構成において、図１５，図１６に示す如く、移動ブロック３２は、ブラケット３４と移動ブロック３２の幅で構成される隙間ｃ、そして、ブラケット３４と移動ブロック３２１の厚みで構成される隙間ｄにより、矢印Ｙ方向あるいは矢印Ｙの逆方向のみの移動が出来る。
【００４４】
この結果、
ガイド手段３１は、移動ブロック３２の途中を覆って左側板２に設けられ、左側板２と共に移動ブロック３２が摺動する摺動筒３３を構成する板状の摺動覆い３４が設けられたので、摺動動作が確実に出来る係止機構が得られる。
【００４５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００４６】
１        開閉動作対象物
１１      下端
１２      上端
１３      裏面
１４      前面
２        左側板
３        右側板
４        突き当て部
５        突き当て部
６        ヒンジ機構
７        係止機構
８        先端突起
９        角穴
２０      係止機構
２１      固定ブロック
２１１    一端
２１２    他端
２１３    固定ねじ
２２      移動ブロック
２２１    一端
２２２    他端
２３      ガイド手段
２３１    ガイド溝
２３２    ガイド棒
２３２１  カラー
２３２２  カラー固定ねじ
２４      係止手段
２４１    溝部
２４２    凸部
２５      押圧手段
２５１    スプリングブロック
２５１１  スプリングブロック固定ねじ
２５２    スプリング
２６      収納移動手段
２６１    斜面部
３１      ガイド手段
３２      移動ブロック
３３      摺動筒
３４      摺動覆
３４      ブラケット
３５      ブラケット固定ねじ
Ｄ        カラーの外径
Ｇ        ガイド溝の溝幅
Ｈ        カラーの厚み
Ｊ        ガイド溝の厚み
Ｋ        移動ブロックの座グリ加工
Ｌ        スプリングブロックの座グリ加工
Ｒ        隙間
Ｓ        隙間
Ｖ        隙間
Ｗ        隙間
ｃ        隙間
ｄ        隙間
【図１】
2012031572.tif 000003
【図２】
2012031572.tif 000004
【図３】
2012031572.tif 000005
【図４】
2012031572.tif 000006
【図５】
2012031572.tif 000007
【図６】
2012031572.tif 000008
【図７】
2012031572.tif 000009
【図８】
2012031572.tif 000010
【図９】
2012031572.tif 000011
【図１０】
2012031572.tif 000012
【図１１】
2012031572.tif 000013
【図１２】
2012031572.tif 000014
【図１３】
2012031572.tif 000015
【図１４】
2012031572.tif 000016
【図１５】
2012031572.tif 000017
【図１６】
2012031572.tif 000018
【図１７】
2012031572.tif 000019
【図１８】
2012031572.tif 000020
【図１９】
2012031572.tif 000021
【図２０】
2012031572.tif 000022